(57)【要約】【課題】  記録中に不要な映像データを消去することで、記録の継続を可能にする。【解決手段】  電源オンの後、ＨＤＤの残容量Ｒｃが閾値Ｒ１より小さい場合、ＨＤＤの自動消去ファイル情報に自動消去候補の映像を登録しておく（Ｓ１５〜Ｓ２２）。映像記録中に、ＨＤＤの残容量Ｒｃが閾値Ｒ２より小さいかどうかを調べ（Ｓ２６）、小さい場合には、自動消去ファイル情報を参照して、登録されている映像をＨＤＤから消去する（Ｓ２７）。【選択図】  図３
2007158551.tif 000002
【特許請求の範囲】
【請求項１】
記録媒体に記録済みの映像から消去候補を選択する消去候補選択手段と、
当該消去候補選択手段の実行タイミングを設定するタイミング設定手段と、
当該タイミング設定手段で設定されたタイミングで当該消去候補選択手段を起動する制御手段と、
映像を当該記録媒体に記録している間に、当該記録媒体の残容量が残量閾値より少ないかどうかを判定する残量判定手段と、
当該残量判定手段の判定結果に従い、当該記録媒体の残容量が残量閾値より少ない場合に、当該消去候補選択手段で選択される消去候補の映像を当該記録媒体から消去する消去手段
とを具備することを特徴とする記録装置。
【請求項２】
当該消去候補選択手段は、当該記録媒体に記録済みの映像から所定条件に合致する映像のリストを作成するリスト作成手段と、当該リストを編集して、最終的な消去候補のリストを生成する編集手段とを具備することを特徴とする請求項１に記載の記録装置。
【請求項３】
当該消去候補選択手段は、当該記録媒体の残量が所定値以下のときに起動されることを特徴とする請求項１又は２に記載の記録装置。
【請求項４】
当該消去候補選択手段は、当該記録装置の電源投入時に起動されることを特徴とする請求項１乃至３の何れか１項に記載の記録装置。
【請求項５】
当該消去候補選択手段は、映像記録の停止中に起動されることを特徴とする請求項１乃至４の何れか１項に記載の記録装置。
【発明の詳細な説明】
【技術分野】
【０００１】
本発明は、記録媒体に映像情報を記録する記録装置に関する。
【背景技術】
【０００２】
近年、映像記録用の記録媒体は、磁気テープに代わり、ＤＶＤ（Ｄｉｇｉｔａｌ  Ｖｅｒｓａｔｉｌｅ／Ｖｉｄｅｏ  Ｄｉｓｃ）が使用されることが多くなってきている。また、ＤＶＤドライブとＨＤＤ（ハードディスクドライブ）を有する据え置き型のＨＤＤレコーダ、及び、取り外し可能な小型ＨＤＤを使用するＨＤＤカムコーダ等も実用化されている。
【０００３】
どちらのタイプの記録装置でも、記録された映像又は放送番組は、ＤＶＤまたはＨＤＤに特定のファイル形式で記憶されており、再生時には、記録された映像がリスト形式で又は代表画像付きで一覧表示され、ユーザが所望の映像を瞬時に呼び出すことが可能である。
【０００４】
特に、ＨＤＤを用いると、不必要となった映像ファイルを瞬時に消去したり、映像の記録中でも再生可能であったりというように、磁気テープを記録媒体とする従来の記録装置よりも遥かに操作に自由度がある。
【０００５】
ところで、ＨＤＤレコーダの記録媒体であるＨＤＤは、一般に取り外しが不可能であるので、ＨＤＤの残り容量が少なくなると、ＨＤＤの記録容量を確保するために、ユーザが不必要となったデータを消去したり、別のメディアにコピーする必要があった。
【０００６】
このような不具合を解決するための装置が、特許文献１、２に記載されている。具体的には、ＨＤＤの記録残量が少なくなると、一度見た映像を自動的に消去したり、記録日付が古い順に消去を行い、ＨＤＤの記録容量を確保することが可能となっている。
【特許文献１】特開２００２−１１２１５０号公報
【特許文献２】特開平１１−０６６６９４号公報
【発明の開示】
【発明が解決しようとする課題】
【０００７】
しかし、自動的に更新日時の古い順に消去する従来例では、ユーザが必要とする映像までもが自動的に消去されてしまう可能性がある。保存しておきたい映像は、ユーザが別途、消去不可に設定しておく必要があり、面倒であった。
【０００８】
そこで、本発明は、面倒な操作無しに不要な映像データをユーザが選択して、記録媒体の記録容量を確保できる記録装置を提示することを目的とする。
【課題を解決するための手段】
【０００９】
上記の目的を達成するために、本発明に係る記録装置は、記録媒体に記録済みの映像から消去候補を選択する消去候補選択手段と、当該消去候補選択手段の実行タイミングを設定するタイミング設定手段と、当該タイミング設定手段で設定されたタイミングで当該消去候補選択手段を起動する制御手段と、映像を当該記録媒体に記録している間に、当該記録媒体の残容量が残量閾値より少ないかどうかを判定する残量判定手段と、当該残量判定手段の判定結果に従い、当該記録媒体の残容量が残量閾値より少ない場合に、当該消去候補選択手段で選択される消去候補の映像を当該記録媒体から消去する消去手段とを具備することを特徴とする。
【発明の効果】
【００１０】
本発明によれば、記録中に記録媒体の残量が少なくなると、消去候補に登録された映像を記録媒体から消去するようにしたので、記録を継続することができる。
【発明を実施するための最良の形態】
【００１１】
以下、図面を参照して、本発明の実施例を詳細に説明する。
【実施例１】
【００１２】
図１は、本発明の一実施例に係るＨＤＤカムコーダの概略構成ブロック図である。ＨＤＤカムコーダ１０は、撮像部１２、信号処理部１４、ＳＤＲＡＭ１６、ＭＰＥＧコーデック１８、ＨＤＤ２０、ＨＤＤ２０のＩ／Ｆ（インターフェース）２２、全体を制御するＣＰＵ２４、ビットマップ回路２６、混合回路２８、ＬＣＤ（液晶パネル）３０及び操作部３２を具備する。ただし、図１の実線は画像データの流れを示し、破線は制御信号の流れを示す。
【００１３】
撮像部１２はＣＣＤセンサ又はＣＭＯＳセンサからなる撮像素子と、当該撮像素子の撮像面に被写体像を結像するレンズとを具備する。信号処理部１４はＡＧＣ（自動利得制御）、ガンマ変換器、Ａ／Ｄ変換器及びマトリックス回路を具備し、撮像素子からのアナログ画像信号を所定形式、例えば、Ｙ／Ｃｒ／Ｃｂ形式のデジタル画像信号に変換する。
【００１４】
ＳＤＲＡＭ１６は、後述するビデオメモリ１６ａ、ＭＰＥＧバッファ１６ｂ、ＩＦＯバッファ１６ｃ及びＶＲＯバッファ１６ｄを具備する。これら要素１６ａ〜１６ｄの作用は、後述する。
【００１５】
ＭＰＥＧコーデック１８はＳＤＲＡＭ１６に記憶される画像データを圧縮し、記録媒体であるＨＤＤ２０から再生された圧縮画像データを伸長する。Ｉ／Ｆ２２は、ＨＤＤ２０へのデータの読み書きを担当する。
【００１６】
ＣＰＵ２４は、ＨＤＤカムコーダ１０の全体を制御する。ビットマップ回路２６は、ＣＰＵ２４の指示に従いビットマップパターン、色の設定及び文字等のグラフィック信号を混合回路２８に出力する。これにより、ＧＵＩ（グラフィカルユーザインターフェース）の画像がＬＣＤ３０の画面上に表示される。
【００１７】
混合回路２８は、ビットマップ回路２６からのグラフィック信号と、信号処理部１４からの画像データを混合する。ＬＣＤ３０は、混合回路２８からの画像データを画像として表示する。
【００１８】
操作部３２はボタン、スイッチ及びキー群を具備し、具体的には、電源スイッチ、撮像開始スイッチ、撮像停止スイッチ、記録開始スイッチ、記録停止スイッチ、再生スイッチ、十字キー、確定キー、戻るキー及びメニューキー等を具備する。これらのスイッチ又はキーにより、ユーザは、ＨＤＤカムコーダ１０を操作できる。
【００１９】
ＳＤＲＡＭ１６のマッピング構造を説明する。ビデオメモリ１６ａは２バンク構成となっており、信号処理部１４が一方のバンクにデータを書き込むとき、ＭＰＥＧコーデック１８が別のバンクからデータを読み出す。データを書き込むバンクとデータを読み出すバンクを交互に切り替えることで、信号処理部１４からＭＰＥＧコーデック１８に高速にデータを転送できる。
【００２０】
ＭＰＥＧバッファ１６ｂはＭＰＥＧコーデック１８の作業領域である。ＭＰＥＧ方式によるフレーム間圧縮は、通常、ＭＰＥＧバッファ１６ｂを使って、３フレームを単位に実行されるが、本実施例では、圧縮された画像データは、ＶＲＯバッファ１６ｄにストリームデータとして書き込まれる。ＶＲＯバッファ１６ｄは、アドレスが循環するリングメモリ構成となっており、書込みアドレスが所定のアドレスに到達すると、先頭のアドレスに戻るようになっている。ＶＲＯバッファ１６ｄに書き込まれたデータは、逐次、読み出され、Ｉ／Ｆ２２を介してＨＤＤ２０に書き込まれる。
【００２１】
ＩＦＯバッファ１６ｃは、図２に示すＨＤＤ２０の管理情報２０ａ及び自動消去ファイル情報２０ｆをＣＰＵ２４が編集するときに利用する作業領域である。
【００２２】
図２は、ＨＤＤ２０のファイル構造又はデータ構造の模式図を示す。管理情報２０ａは、映像ストリームデータ２０ｂ〜２０ｅ，・・・の管理に使用される情報であり、各データ２０ｂ〜２０ｅ，・・・の先頭アドレス、映像名、撮影日時、及びリスト表示に使用するサムネイル画面又はサムネイル画像のアドレス情報等が格納される。映像ストリームデータ２０ｂ〜２０ｅ，・・・は、映像データである。自動消去ファイル情報２０ｆには消去しても良いストリームのストリーム番号が書き込まれている。詳細は、後述するが、ＣＰＵ２４は、当該自動消去ファイル情報２０ｆを参照し、映像ストリームデータ２０ｂ〜２０ｅ，・・・の内の、自動消去ファイル情報２０ｆに記載される映像ストリームデータを消去する。
【００２３】
次に、ＨＤＤカムコーダ１０の記録動作を説明する。撮像モードでは、撮像部１２は、被写体の画像信号を出力する。撮像部１２の画像信号は、信号処理部１４を介してビデオメモリ１６ａに書き込まれる。また、撮像部１２の画像信号は、信号処理部１４を介して混合回路２８にも転送される。混合回路２８は、信号処理部１４からの画像信号ビットマップ回路２６からのグラフィック信号を混合又は重畳し、ＬＣＤ３０に印加する。ユーザは、ＬＣＤ３０に表示される画像を見て、撮像対象を確認できる。
【００２４】
そして、撮影モード中に、ユーザが撮像開始スイッチを押下すると、ＣＰＵ２４は、ビデオメモリ１６ａに格納される画像データを読み出し、ＭＰＥＧコーデック１８に印加する。ＭＰＥＧコーデック１８は、ビデオメモリ１６ａから読み出されたフレーム又はフィールド画像を順次、ＭＰＥＧ方式又はＭｏｔｉｏｎ  ＪＰＥＧ方式で圧縮符号化する。ＭＰＥＧコーデック１８で圧縮された動画像データは、Ｉ／Ｆ２２によりＨＤＤ２０に記録される。
【００２５】
再生モードの動作を簡単に説明する。ユーザが再生スイッチを押下すると、Ｉ／Ｆ２２を介してＨＤＤ２０から圧縮画像データが読み出され、ＭＰＥＧコーデック１８に転送される。ＭＰＥＧコーデック１８はＨＤＤ２０から読み出された圧縮画像データを伸長し、再生画像データをビデオメモリ１６ａに格納する。信号処理部１４が、ビデオメモリ１６ａから再生画像データを定期的に読み出し、混合回路２８を介してＬＣＤ３０に印加する。ＬＣＤ３０は、再生画像を表示する。
【００２６】
次に、図３乃至図５を参照して、本実施例の特徴的動作を説明する。図３は、本実施例の自動消去フローのフローチャートであり、図４はメッセージウインドウの表示例であり、図５は自動消去候補リストの表示例である。
【００２７】
図３で、ＲｃはＨＤＤ２０の残量であり、必要時に計測される。Ｒ１，Ｒ２は、自動消去を判定する閾値であり、ユーザが手動で設定するか、又は一定の基準に従ってＣＰＵ２４が決定する。闘値Ｒ２は記録中に使用される闘値であるのに対し、闘値Ｒ１は記録中以外で使用される闘値であり、本実施例では、Ｒ１≧Ｒ２である。
【００２８】
図３において、電源スイッチがオンされるのを待ち（Ｓ１０）、電源スイッチがオンされると（Ｓ１０）、闘値Ｒ１，Ｒ２が設定済みか否かを判別する（Ｓ１１）。設定されていないと（Ｓ１１）、闘値Ｒ１，Ｒ２を設定する（Ｓ１２）。
【００２９】
記録残量Ｒｃが閾値Ｒ１より小さいか否かを判別する（Ｓ１３）。ＲｃがＲ１以上の場合（Ｓ１３）、ユーザによる記録開始の指示を待つ（Ｓ２４）。記録開始を待つ間に電源スイッチがオフになれば、終了する（Ｓ２３）。
【００３０】
ＲｃがＲ１より小さい場合（Ｓ１３）、ＨＤＤ２０の残量が少なくなっているので、ＣＰＵ２４は、ビットマップ回路２６を使って、図４に示すようなメッセージウインドウ４０をＬＣＤ３０に表示する（Ｓ１５）。メッセージウインドウ４０は、自動消去候補リストの編集（追加と削除）の要否をユーザに問うものである。ユーザは、メッセージウインドウ４０を閲覧し、消去候補の編集の要否を判別する（Ｓ１６）。
【００３１】
メッセージウインドウ４０の表示例を説明する。図４において、ＬＣＤ３０の画面に表示されるメッセージウインドウ４０内には、選択キーとしての十字キー４２と、確定キー４４が表示され、ウインドウ４０の外には一時停止時間４６が表示されている。一時停止時間４６は、記録動作中の場合の記録停止時間を意味する。記録動作中でない場合、一時停止時間４６は、単に、ウインドウ４０の表示時間を示す。ユーザは、十字キー４２で「する」又は「しない」を選択し、確定キー４４で決定する。一時停止時間４６内にユーザが登録の要否を決定しない場合、予め決められた方が選択される。
【００３２】
自動消去候補リストの編集が選択されない場合（Ｓ１６）、メッセージウインドウ４０が閉じ（Ｓ１７）、ステップＳ２３に進む。
【００３３】
自動消去候補リストの編集が選択された場合（Ｓ１６）、ＨＤＤ２０に記録済みの映像の中から、記録日時、再生日時及び再生済みか否か等の所定の消去条件に合致する映像のリストを自動消去候補リストとして作成し（Ｓ１８）、表示する（Ｓ１９）。図５は、この段階で表示される自動消去候補リストの一例を示す。図５において、自動消去候補リストには、カーソル５０、チェックボックス５２、サムネイル画像５４、映像名５６、戻るキー５８、十字キー６０又は確定キー６２等が表示される。
【００３４】
ユーザは、表示された自動消去候補リストを、十字キー６０と確定キー６２により編集できる（Ｓ２０）。例えば、十字キー６２の上向き又は下向きのキーを押下すると、カーソル５０が上又は下に移動し、カーソル５０が止まった場所で確定キー６２を押下すると、チェックボックス５２内にチェックマークが表示される。チェックマークが表示された映像は、自動的に消去されても構わない映像として登録される。
【００３５】
また、リストアップされた映像が多数ある場合には、カーソル５０を下方向に移動すればページが切り換わり、次の映像を確認・登録することができる。一方、チェックマークが表示された画像にカーソル５０を合わせ、確定キー６２を押下すると、チェックマークが消え、登録をキャンセルすることができる。
【００３６】
ステップＳ１８で作成するリストでは、リストされる映像の全てに対してチェックが外れているが、デフォルトでチェックが入り、ユーザが希望の映像のチェックを外すようにしてもよい。
【００３７】
必要な編集が終了して、ユーザが戻るキー５８を押下すると、編集を終了する（Ｓ２０）。すると、自動消去候補リストの登録画面が閉じ（Ｓ２１）、自動消去リストでチェックのある映像の映像番号が自動消去ファイル情報２０ｆに書き込まれる（Ｓ２２）。この後、ステップＳ２３に移動する。
【００３８】
ＨＤＤカムコーダ１０の電源スイッチがオンの間（Ｓ２３）、ユーザの記録開始の指示を待つ（Ｓ２４）。電源スイッチがオフになっていると（Ｓ２３）、消去候補ファイル情報２０ｆが記録された状態で、動作を終了する。
【００３９】
ユーザにより記録開始スイッチが押下されると（Ｓ２４）、映像の記録が実行される（Ｓ２５）。記録中に、ＨＤＤ２０の記録残量Ｒｃが第２の闘値Ｒ２より小さいかどうかを判別する（Ｓ２６）。ＲｃがＲ２より小さい場合には（Ｓ２６）、ＣＰＵ２４は、自動消去ファイル情報２０ｆを参照し、自動消去候補リストに登録された映像データをＨＤＤ２０から消去する（Ｓ２７）。また、ＲｃがＲ２以上の場合には（Ｓ２６）、ＨＤＤ２０の記録残量に余裕があるので、自動消去候補リストに登録された映像データを消去しない。
【００４０】
記録停止スイッチが押下されるまで（Ｓ２８）、ステップＳ２６，Ｓ２７を繰り返す。記録停止スイッチが押下されると（Ｓ２８）、映像記録を停止し（Ｓ２９）、ステップＳ１３に戻る。
【００４１】
このように、本実施例では、記録中であっても、自動消去候補リストで登録された映像をＨＤＤ２０の残容量に応じて削除するようにしたので、ＨＤＤ２０の記録残量を確保しつつ、記録を継続できる。
【００４２】
なお、自動消去候補リストに登録された映像が一つもない場合、ＨＤＤ２０の記録残量が無くなった時点で記録を停止する。
【実施例２】
【００４３】
実施例１では、ＨＤＤ２０の残量Ｒｃが閾値Ｒ１より少なくなると、メッセージウインドウ４０を表示する。しかし、ユーザによっては、電源オンしたときに、メッセージウインドウ４０を表示したい場合もある。例えば、図６に示すような設定画面７０を用意し、メッセージウインドウ４０の表示タイミングをユーザが選択できるようにする。選択肢７２の前のチェックボックス７４にチェックを入れることで、対応する動作が有効になる。選択キー７６で選択肢を選択し、確定キー７８でチェックを入れると外すをトグル動作する。戻るキー８０で、選択が面７０を表示する前に戻ることができる。
【００４４】
図７は、電源オン時にメッセージウインドウ４０を表示するように設定した場合の動作フローチャートを示す。この場合、閾値Ｒ１とＨＤＤ２０の残量Ｒｃの比較を省略するので、閾値Ｒ１は不要であり、図３の条件分岐ステップＳ１３を省略して、そのままＳ１５に移行するようにすればよい。
【００４５】
変更部分を主に説明する。電源がオンになると（Ｓ２１０）、閾値Ｒ２が設定済みか否かを判別する（Ｓ２１１）。設定済みでなければ（Ｓ２１１）、ステップＳ１２と同様の方法で閾値Ｒ２を設定する（Ｓ２１２）。この後、ステップＳ１５〜Ｓ２２と同様のステップＳ２１５〜Ｓ２２２、即ちメッセージウインドウ４０を表示して自動消去候補リストを整備するルーチンを実行する。ステップＳ２１７，Ｓ２２２の後、ステップＳ２３〜Ｓ２９と同様のステップＳ２２３〜Ｓ２２９を実行する。
【００４６】
このように、本実施例によれば、電源オン時にメッセージウインドウ４０を表示するようにしたので、自動消去候補を登録しておくのを忘れてしまうことが無く、残量不足で新しい映像の記録を中止する可能性を少なくできる。
【実施例３】
【００４７】
図８は、映像記録の停止中にメッセージウインドウ４０を表示するようにした実施例の動作フローチャートを示す。この場合も、閾値Ｒ１とＨＤＤ２０の残量Ｒｃを比較しないので、閾値Ｒ１は不要である。
【００４８】
変更部分を主に説明する。電源がオンになると（Ｓ３１０）、閾値Ｒ２が設定済みか否かを判別する（Ｓ３１１）。設定済みでなければ（Ｓ３１１）、ステップＳ１２と同様の方法で閾値Ｒ２を設定する（Ｓ３１２）。この後、ステップＳ２３〜Ｓ２９と同様のステップＳ２２３〜２２９を実行する。記録停止（Ｓ２９）の後、ステップＳ１５〜Ｓ２２と同様のステップＳ２１５〜Ｓ２２２、即ちメッセージウインドウ４０を表示して自動消去候補リストを整備するルーチンを実行する。
【００４９】
このように、本実施例によれば、記録モードで記録停止中にメッセージウインドウ４０を表示するようにしたので、自動消去候補の登録忘れにより残量不足で新しい映像の記録を中止する可能性を少なくできる。
【実施例４】
【００５０】
図９は、録画開始直後にメッセージウインドウ４０を表示して自動消去候補リストを整備するようにした実施例の動作フローチャートを示す。
【００５１】
変更部分を主に説明する。電源がオンになると（Ｓ４１０）、閾値Ｒ２が設定済みか否かを判別する（Ｓ４１１）。設定済みでなければ（Ｓ４１１）、ステップＳ１２と同様の方法で閾値Ｒ２を設定する（Ｓ４１２）。この後、ステップＳ２３〜Ｓ２５と同様のステップＳ４２３〜Ｓ４２５で記録を開始する。記録開始（Ｓ４２５）の後、ステップＳ１５〜Ｓ２２と同様のステップＳ４１５〜Ｓ４２２、即ちメッセージウインドウ４０を表示して自動消去候補リストを整備するルーチンを実行する。Ｓ４１７又はＳ４２２の後、ステップＳ２６〜Ｓ２９と同様のステップＳ４２６〜Ｓ４２９を実行し、その間に、残量不足の場合に自動消去候補リストに記録された映像を消去する（Ｓ４２６，Ｓ４２７）。
【００５２】
このように、本実施例によれば、記録モードで記録開始直後にメッセージウインドウ４０を表示するようにしたので、自動消去候補の登録忘れにより残量不足で新しい映像の記録を中止する可能性を少なくできる。
【実施例５】
【００５３】
図１０は、ユーザによる記録開始の指示に従い、先ず、メッセージウインドウ４０を表示して自動消去候補リストを整備し、その後に、記録を実際に実行するようにした実施例の動作フローチャートを示す。図９では、記録開始スイッチのオンにより（Ｓ４２４）、先ず、記録を実行していたが（Ｓ４２５）、図１０では、実際の記録動作（Ｓ５２５）が、メッセージウインドウ４０を表示して自動消去候補リストを整備するルーチン（Ｓ５１５〜Ｓ５２２）の後に実行される。
【００５４】
変更部分を主に説明する。電源がオンになると（Ｓ５１０）、閾値Ｒ２が設定済みか否かを判別する（Ｓ５１１）。設定済みでなければ（Ｓ５１１）、ステップＳ１２と同様の方法で閾値Ｒ２を設定する（Ｓ５１２）。この後、ステップＳ２３〜Ｓ２４と同様のステップＳ５２３〜Ｓ５２４でユーザによる記録開始の指示を待つ。ユーザによる記録開始の指示（Ｓ４２４）の後、ステップＳ１５〜Ｓ２２と同様のステップＳ５１５〜Ｓ５２２、即ちメッセージウインドウ４０を表示して自動消去候補リストを整備するルーチンを実行する。Ｓ５１７又はＳ５２２の後、ステップＳ２５〜Ｓ２９と同様のステップＳ５２５〜Ｓ５２９を実行し、その間に、残量不足の場合に自動消去候補リストに記録された映像を消去する（Ｓ５２６，Ｓ５２７）。
【００５５】
このように、本実施例によれば、記録モードでユーザによる記録開始の指示の後、実際に記録を開始する前に、メッセージウインドウ４０を表示するようにしたので、自動消去候補の登録忘れにより残量不足で新しい映像の記録を中止する可能性を少なくできる。
【実施例６】
【００５６】
図３に示す動作フローでは、記録停止（Ｓ２９）の後に、ステップＳ１３に戻るので、電源オンの間、メッセージウインドウ４０が繰り返し表示されることがある（Ｓ１５）。これを止めるには、例えば、記録停止（Ｓ２９）の後に、ステップＳ２３に戻るようにすればよい。その他のフローは、図３と同じでよい。
【００５７】
このような変更動作では、メッセージウインドウ４０は、全く表示されないか、又は、電源オンの後に１回、表示されるだけである。
【実施例７】
【００５８】
図１１は、電源オンの後又は記録停止の後、ユーザが希望する場合にのみメッセージウインドウを表示するようにした実施例の動作フローチャートを示す。閾値Ｒ１とＨＤＤ２０の残量Ｒｃとの比較（Ｓ１４）の代わりに、メッセージウインドウ４０を表示するか否かをユーザに問うステップＳ７１４を設ける。
【００５９】
変更部分を主に説明する。電源がオンになると（Ｓ７１０）、閾値Ｒ２が設定済みか否かを判別する（Ｓ７１１）。設定済みでなければ（Ｓ７１１）、ステップＳ１２と同様の方法で閾値Ｒ２を設定する（Ｓ７１２）。この後、メッセージウインドウ４０を表示するか否かをユーザに問い合わせる（Ｓ７１４）。
【００６０】
ユーザがメッセージウインドウの表示を希望する場合（Ｓ７１４）、ステップＳ１５〜Ｓ２２と同様のステップＳ７１５〜Ｓ７２２、即ちメッセージウインドウ４０を表示して自動消去候補リストを整備するルーチンを実行する。また、ユーザがメッセージウインドウの表示を希望しない場合（Ｓ７１４）、ステップＳ２３〜Ｓ２９と同様のステップＳ７２３〜Ｓ７２９を実行する。記録停止（Ｓ７２９）の後、ステップＳ７１４に戻り、再び、メッセージウインドウ４０を表示するか否かをユーザに問い合わせる（Ｓ７１４）。
【００６１】
このように、本実施例によれば、ユーザが希望するときにのみメッセージウインドウ４０の表示し、自動消去候補リストを整備するので、自動消去候補の編集という面倒な操作を最低限に抑えることができる。
(その他)
【００６２】
上述の実施例１〜７の動作は、任意に組み合わせて利用可能であり、そのような構成例も、本願発明の技術的範囲に含まれる。
【図面の簡単な説明】
【００６３】
【図１】本発明の一実施例に係るＨＤＤカムコーダ１０の概略構成ブロック図である。
【図２】本実施例のＨＤＤ２０のデータ構造である。
【図３】本実施例の自動消去を示すフローチャートである。
【図４】本実施例のメッセージウインドウの表示例である。
【図５】本実施例の自動消去候補リストの表示例である。
【図６】設定メニュー画面の表示例である。
【図７】実施例２の自動消去を示すフローチャートである。
【図８】実施例３の自動消去を示すフローチャートである。
【図９】実施例４の自動消去を示すフローチャートである。
【図１０】実施例５の自動消去を示すフローチャートである。
【図１１】実施例７の自動消去を示すフローチャートである。
【符号の説明】
【００６４】
１０  ＨＤＤカムコーダ
１２  撮像部
１４  信号処理部
１６  ＳＤＲＡＭ
１６ａ  ビデオメモリ
１６ｂ  ＭＰＥＧバッファ
１６ｃ  ＩＦＯバッファ
１６ｄ  ＶＲＯバッファ
１８  ＭＰＥＧコーデック
２０  ＨＤＤ（ハードディスク）
２２  Ｉ／Ｆ（インターフェース）
２０ａ  管理情報
２０ｂ，２０ｃ，２０ｄ，２０ｅ  映像ストリームデータ
２０ｆ  自動消去ファイル情報
２４  ＣＰＵ
２６  ビットマップ回路
２８  混合回路
３０  ＬＣＤ（液晶パネル）
３２  操作部
４０  メッセージウインドウ
４２  十字キー
４４  確定キー
４６  一時停止時間
５０  カーソル
５２  チェックボックス
５４  サムネイル画像
５６  映像名
５８  戻るキー
【図１】
2007158551.tif 000003
【図２】
2007158551.tif 000004
【図３】
2007158551.tif 000005
【図４】
2007158551.tif 000006
【図５】
2007158551.tif 000007
【図６】
2007158551.tif 000008
【図７】
2007158551.tif 000009
【図８】
2007158551.tif 000010
【図９】
2007158551.tif 000011
【図１０】
2007158551.tif 000012
【図１１】
2007158551.tif 000013